(57)【要約】【課題】折畳み式の携帯機器において３Ｄイメージが表示される表示部を設ける。【解決手段】筐体と第２の筐体が連結部によって折り畳み可能に構成される携帯機器であって、携帯機器が折り畳まれた状態において内面に位置する表示体には３Ｄイメージが表示される表示デバイス、あるいは２Ｄ又は３Ｄイメージが切替えて表示される表示デバイスとし、携帯機器が折り畳まれた状態において外面に位置する表示体には２Ｄイメージを表示する表示デバイスで構成する。【選択図】　図１
2004129029.tif 000002
【特許請求の範囲】
【請求項１】
第１の筐体と第２の筐体が連結部によって折り畳み可能に構成される携帯機器であって、
前記携帯機器が折り畳まれた状態において、内面に位置する、３Ｄイメージが表示される第１表示部と、
前記携帯機器が折り畳まれた状態において、外面に位置する、２Ｄイメージが表示される第２表示部と、
を備えてなることを特徴とする携帯機器。
【請求項２】
第１の筐体と第２の筐体が連結部によって折り畳み可能に構成される携帯機器であって、
前記携帯機器が折り畳まれた状態において、内面に位置する、視差光学系の形成を選択することにより２Ｄ又は３Ｄイメージが切替えて表示される第１表示部と、
前記携帯機器が折り畳まれた状態において、外面に位置する、２Ｄイメージが表示される第２表示部と、
を備えてなることを特徴とする携帯機器。
【請求項３】
前記第１表示部は、透過型の画像表示用液晶表示デバイスを含んでなることを特徴とする請求項１又は２に記載の携帯機器。
【請求項４】
前記第１表示部は、視差光学系を選択的に形成する２Ｄ／３Ｄ切替え用の液晶表示デバイス、及び透過型の画像表示用液晶表示デバイスとからなることを特徴とする請求項１又は２に記載の携帯機器。
【請求項５】
前記第２表示部は半反射型の画像表示用液晶デバイスからなることを特徴とする請求項１ないし４いずれかに記載の携帯機器。
【請求項６】
第１の筐体と第２の筐体が連結部によって折畳み可能に構成される携帯機器であって、少なくとも、
２Ｄイメージ又は３Ｄイメージが切り替えて表示される表示部と、
２Ｄイメージが表示される表示部と、
を含む複数の表示部を有してなることを特徴とする携帯機器。
【発明の詳細な説明】
【０００１】
【発明の属する技術分野】
本発明は、２Ｄ（２次元）及び３Ｄ（３次元）表示機能を備えた携帯機器に関するものである。
【０００２】
【従来の技術】
近年、携帯端末、携帯パソコン、携帯電話機等の携帯機器は小型化、高機能化が進んでいる。例えば、特開２００１−２５１４０３号公報では、３Ｄ表示機能を備えた３Ｄ表示付携帯電話において、さらに２Ｄ（２次元）／３Ｄ表示を切換えて表示できるものが提案されている。本公報において、２Ｄ／３Ｄ表示の切換えは、表示体である液晶ディスプレイの上方に配置されたレンチキュラーレンズを移動可能として、２Ｄ表示部と３Ｄ表示部の表示領域を変更可能に構成することにより行っている。
【０００３】
図８ないし図１２を用いて液晶表示デバイスを用いた公知の３Ｄ立体表示装置を説明する。
【０００４】
図８は、標準的なタイプの液晶デバイス（ＬＣＤ）の画素（ピクセル）のレイアウトを示す。ＬＣＤは、カラーディスプレイに使用され、Ｒ、Ｇ、及びＢによって示される赤、緑、及び青のピクセルから構成される。ピクセルは、赤、緑、及び青のピクセルが垂直に並ぶ列Ｃｏｌ０からＣｏｌ５として、配置される。そこで、ピクセルの最も左の列Ｃｏｌ０は、表示されるイメージの最も左のストリップを表示し、右隣の列Ｃｏｌ１は、イメージの次の列を表示することになり、以下も同様である。
【０００５】
図９のディスプレイは、３Ｄ立体表示を行うために使用される。３Ｄディスプレイは、表示すべき画像内容に従って、バックライト１０２からの光を調節するための空間光変調器として作用する液晶表示デバイス（偏光板を含む）１０１を備える。視差光学系は、ビューイングウインドウを形成するために液晶表示デバイス１０１と協調して動作する。図９は、視差光学系として視差バリア１０３を備える前面視差バリアタイプの３Ｄ自動立体ディスプレイを示している。視差バリア１０３は、参照番号１０４として示されるような、垂直に伸び且つ横方向には等間隔で平行に並ぶ複数のスリットを備えており、各スリットは、個々の色のピクセル列の一対の中心に位置される。例えば、図９の１０４で示されるスリットは、青ピクセルの列１０５及び緑ピクセルの列１０６に位置合わせされる。
【０００６】
左及び右ビューイングウインドウが正しい配置に確実にあるようにするために、左及び右のイメージデータは、図１０に示される方法で、図９に示されるタイプの液晶表示デバイス１０１に供給される。左イメージの最も左のストリップの色イメージデータは、Ｃｏｌ０左で示される赤、緑、及び青ピクセル列によって表示される。同様に、右目ビューの最も左のストリップの色データは、Ｃｏｌ０右で示されるピクセルの列によって表示される。この配置によって、左及び右のビューのイメージデータが、適切な左及び右ビューイングウインドウへ確実に送られる。この配置はまた、３つのピクセル色Ｒ、Ｇ、及びＢがすべて、各ビューストリップを表示するために使用されることを確実にする。
【０００７】
このように、図８に示されるレイアウトと比べて、最も左の列の赤及び青ピクセルは、左のビューのイメージデータを表示する一方、最も左の列の緑ピクセルは、右のビューのイメージデータを表示する。次の列において、赤及び青ピクセルは、右のビューのイメージデータを表示する一方、緑ピクセルは、左のビューのイメージデータを表示する。このように、図８から１０に示されたタイプの標準的な液晶表示デバイスを使用する場合には、ＲＧＢピクセルの列間で緑コンポーネントを「交換」しながら、左及び右のビューのイメージデータをインターレースすることが必要である。当然ながら、ディスプレイの設定によっては、緑コンポーネント以外に、赤或いは青コンポーネントが交換されてもよい。
【０００８】
図１１は、ディスプレイコントローラの一部を示す。表示されるデータは、データバス１２０上にシリアル形態で供給され、ピクセルのスクリーンにおける配置を定義するアドレスは、アドレスバス１２１上に供給される。データバス１２０は、メモリ（ＶＲＡＭ）１２２及び１２３のようなランダムアクセスメモリ（図面に２つ示される）の数個のバンクの入力に接続される。アドレスバス１２１は、メモリ管理システム１２４に接続される。このメモリ管理システム１２４は、スクリーンアドレスを、メモリ１２２及び１２３のアドレス入力へ供給されるメモリアドレスに変換する。
【０００９】
メモリ１２２及び１２３の出力ポートは、ラッチ回路１３０を介して、ビデオコントローラ１２６のファーストインファーストアウト（ＦＩＦＯ）レジスタ１２５へ接続される。メモリ１２２及び１２３、並びにレジスタ１２５は、個々のピクセルデータがメモリ１２２及び１２３から交互に読み出されて正しい順序で表示用メモリ（ＶＲＡＭ）１２７へ供給されるように制御される。表示用メモリは１２７は液晶表示デバイス１０１のドライバ回路との間にあって並び替えられた表示データを一旦蓄える表示用メモリである。
【００１０】
図１２は、更に詳細にラッチ回路１３０を示す。ラッチ回路１３０は、メモリ１２２及び１２３の出力ポートにそれぞれ接続されるラッチ１４０及び１４１を備える。ラッチ１４０及び１４１の各々は、それぞれのメモリからのＲ、Ｇ、Ｂデータをラッチする、８個で１グループとして配置される２４個の１ビットラッチを備える。ラッチ１４０及び１４１は、ラッチイネイブル（ｌａｔｃｈ　　ｅｎａｂｌｅ）入力をまとめて接続して、ラッチイネイブル信号Ｌを供給するタイミング生成器１２８の出力へ接続させる。
【００１１】
ラッチ回路１３０は更に、３つのスイッチング回路１４２、１４３、及び１４４を備え、そのスイッチング回路はそれぞれ、制御入力がまとめて接続された８個の個別のスイッチングエレメントを備える。スイッチング回路１４２、１４３、及び１４４の制御入力は、まとめて接続されて、スイッチング信号ＳＷを供給するタイミング生成器１２８の出力へ接続される。タイミング生成器１２８は、書き込みイネイブル信号Ｆをレジスタ１２５へ供給する、更なる出力を有する。ここで、Ｇデータに対応するスイッチング回路１４３はラッチ回路１４０，１４１に対する切り替わる先が他のスイッチング回路１４２，１４４と異なることに注意すべきである。
【００１２】
表示データがメモリ１２２及び１２３の出力ポートで使用可能な場合、ラッチイネイブル信号Ｌはｈｉｇｈになる。このようにして、ラッチ１４０及び１４１は表示データをラッチする。ラッチイネイブル信号Ｌがｌｏｗに戻ったすぐ後に、スイッチング信号ＳＷは、ｈｉｇｈレベルに上昇する。次に、スイッチング回路１４２、１４３、及び１４４が図１２に示される状態へ切り換えられ、ラッチ１４０のＲ，Ｇ，Ｂ出力がレジスタ１２５へ接続されるようになる。その次に、書き込みイネイブル信号Ｆがレジスタ１２５へ供給され、ラッチ１４０からのＲＧＢデータがレジスタ１２５へ書き込まれる。更に次に、書き込みイネイブル信号Ｆは、次の書き込みイネイブル信号まで更なるデータがレジスタ１２５へ書き込まれることを防ぐために、使用不可にされる。
【００１３】
次に、スイッチング信号ＳＷがｌｏｗレベルになり、スイッチング回路１４２、１４３、及び１４４がラッチ１４１の出力をレジスタ１２５へ接続する。更なる書き込みイネイブル信号Ｆが発生して、ラッチ１４１からのデータがレジスタ１２５へ書き込まれる。この時、同時にレジスタ１２５に書き込まれていたデータは、表示用メモリ１２７に書きこまれる。次のラッチイネイブル信号Ｌがｈｉｇｈになり、同様の処理が繰り返される。このように、データは、メモリ１２２及び１２３から、交互にレジスタ１２５へ書き込まれる。表示用メモリ１２７にも、レジスタ１２５に書き込まれていたデータが順次書きこまれ、やがて一画面分の表示に必要なデータが表示用メモリ１２７に書きこまれるまで、繰り返される。
【００１４】
【特許文献１】
特開２００１‐２５１４０３号公報
【００１５】
【発明が解決しようとする課題】
一方、携帯電話機において小型化の点などにより折り畳み式の携帯電話機が開発され市販されている。更にマルチ表示化が進み、開いた状態で使用する主表示体（メイン表示体）のほか、折り畳んだ状態で使用できる、携帯電話機の外側に面して配置された副表示体（サブ表示体）を備えたものも販売されている。
【００１６】
携帯電話機における３Ｄイメージの表示は、例えばＷｅｂより３Ｄイメージデータのコンテンツとして受信される場合に使用し得る。コンテンツはアニメや風景写真、その他、２Ｄより３Ｄイメージでの表示が適切であるもの、あるいは、３Ｄのほうがより楽しめるものなどが好ましい。または、携帯電話機に３Ｄ変換機能を内蔵することより、携帯電話自身に備え付けのカメラ部で撮った映像を左目及び右目にそれぞれ分割された３Ｄイメージデータに変換して表示するようにしてもよい。あるいは、同様機能を有する他の携帯電話より３Ｄイメージデータが送信されこれを受信して表示する場合も利用し得る。
【００１７】
また、携帯電話機において電話機として待受け画面と呼ばれる画面がデフォルト画面として設定されている。待受け画面は、予め登録されている画像や上記のようなカメラで撮影した画像、あるいはサイトやＷｅｂメールなどブラウザでダウンロードした画像を選択することにより使用者が任意に設定可能であり、待受け画面として３Ｄイメージによる画面を採用するようにしてもよい。
【００１８】
しかしながら、携帯電話機等において、表示する内容によっては３Ｄイメージのみでは好ましくない場合がある。例えば電話番号表示や、メールの受信内容あるいは発信内容など、通常のテキスト情報を含む表示の場合は２Ｄイメージで表示する方が使用者には容易に内容を理解できるときがある。また表示を見るときの環境によっては左目及び右目の示唆のない表示の方が見易い場合がある。従って、３Ｄイメージの表示は２Ｄイメージと切替えて表示することが好ましく、また使い勝手もよい。
【００１９】
本発明は、筐体と第２の筐体が連結部によって折り畳み可能に構成される携帯機器であって、携帯機器が折り畳まれた状態において内面に位置する表示体には３Ｄイメージが表示される表示デバイス、あるいは２Ｄ又は３Ｄイメージが切替えて表示される表示デバイスとし、携帯機器が折り畳まれた状態において外面に位置する表示体には２Ｄイメージを表示する表示デバイスで構成した携帯機器を提供するものである。
【００２０】
また、本発明は、第１の筐体と第２の筐体が連結部によって折畳み可能に構成される携帯機器であって、少なくとも、２Ｄイメージ又は３Ｄイメージが切り替えて表示される表示部と、２Ｄイメージが表示される表示部と、を含む複数の表示部を有する携帯機器を提供するものである。
【００２１】
【課題を解決するための手段】
第１の発明は、第１の筐体と第２の筐体が連結部によって折り畳み可能に構成される携帯機器であって、前記携帯機器が折り畳まれた状態において、内面に位置する、３Ｄイメージが表示される第１表示部と、前記携帯機器が折り畳まれた状態において、外面に位置する、２Ｄイメージが表示される第２表示部とを備えてなることを特徴とする携帯機器である。
【００２２】
第２の発明は、第１の筐体と第２の筐体が連結部によって折り畳み可能に構成される携帯機器であって、前記携帯機器が折り畳まれた状態において、内面に位置する、視差光学系の形成を選択することにより２Ｄ又は３Ｄイメージが切替えて表示される第１表示部と、前記携帯機器が折り畳まれた状態において、外面に位置する、２Ｄイメージが表示される第２表示部と、を備えてなることを特徴とする携帯機器である。
【００２３】
第３の発明は、前記第１表示部は、透過型の画像表示用液晶表示デバイスを含んでなることを特徴とする請求項１又は２に記載の携帯機器。
【００２４】
第４の発明は、前記第１表示部は、視差光学系を選択的に形成する３Ｄ／２Ｄ切替え用の液晶表示デバイス、及び透過型の画像表示用液晶表示デバイスとからなることを特徴とする携帯機器である。
【００２５】
第５の発明は記第２表示部は半反射型の画像表示用液晶デバイスからなることを特徴とする携帯機器である。
【００２６】
第６の発明は、第１の筐体と第２の筐体が連結部によって折畳み可能に構成される携帯機器であって、少なくとも、３Ｄイメージ又は２Ｄイメージが切り替えて表示される表示部と、２Ｄイメージが表示される表示部と、を含む複数の表示部を有してなることを特徴とする携帯機器である。
【００２７】
【発明の実施の形態】
この発明の実施の形態について図面を参照し説明する。図１は本発明の実施の一形態である折畳み式のカメラ付携帯電話機１を開いた状態での外観を示す斜視図である。
【００２８】
携帯電話機１は第１の筐体２と第２の筐体３からなり、第１の筐体２と第２の筐体３は、ヒンジ４を介して連結され、ヒンジ４を軸として角変位自在に動くことで折り畳み可能に構成されている。図１に示すように携帯電話機１は第１の筐体２には第１表示部（主表示部、メイン表示部）５を備える。第１表示部５は携帯電話機１が折り畳まれた時に内側に位置するように配置されている。第１表示部５は後述するように３Ｄイメージと２Ｄイメージを切替えて表示される表示デバイスからなり、第１表示ドライバ部４３を介して送られてくる画像データに基づく画像を表示する。第１表示部５の上部には通話時に使用する第１のスピーカー６を備える。
【００２９】
次に本発明の実施の一形態である携帯電話機１の第２の筐体３について説明する。入力ボタン群７は、数字および文字を入力するためのキーなどから構成される。機能ボタン群８は携帯電話機における各種設定／機能切替を行うためのボタン群であり、電源のＯＮ／ＯＦＦ切替を行う電源ボタン９、後述するカメラ機能の第１のシャッターボタン１０、メール機能とガイダンス表示を行うメール／ガイダンス用ボタン１１、通話開始とスピーカー受話を行う開始／スピーカー受話ボタン１２、機能選択画面での上下左右選択と決定を行う４方向ボタンと決定ボタンで構成されたマルチガイドボタン１３から構成される。また、第２の筐体３の下部には送話マイク１４を備えている。
【００３０】
携帯電話機１の第２の筐体３の配置構成としては、ヒンジ４、機能ボタン群８、入力ボタン群７、送話マイク１４の順番に配置するのが普通であるが、これに限定されるものではない。
【００３１】
図２は携帯電話機１を折り畳んだ状態での外観斜視図である。図２に示すように、第１の筐体２の背面は、ヒンジ４側から順番にカメラ部２１とライト部２２が並んで配置され、第２表示部（副表示部、サブ表示部）２０、第２のシャッターボタン２３および第２の操作ボタン群２４が続いて配置される。
【００３２】
第２表示部２０は携帯電話機１が折り畳まれた時に外側に位置するように配置される。第２表示部２０は液晶ディスプレイやＥＬディスプレイなどで実現される、２Ｄイメージを表示する通常の表示デバイスからなる。後述する第２表示ドライバ部４４を介して送られてくる撮像画像や時刻情報、電波強度、メール受信表示等のキャラクタ画像の画像データに基づく画像を表示する。これらの画像を表示する際に、第２表示ドライバ部４４から第２表示部２０に送られてくる画像データは、表示した時にヒンジ４方向が上になるように表示される。第２表示部２０は、ヒンジ４方向が上になるように画像表示を行うことにより、ユーザーは携帯電話機１を折り畳んだ状態で使用する際に、ヒンジを上に向けて使用することになり、ユーザーが携帯電話機１を開いた状態でも閉じた状態でも第２の筐体３の向きが変わらない。言い換えれば、携帯電話機１を開いたり閉じたりするたびに、携帯電話機１の向きを変えたり持ち替えたりする必要がなくなり、操作性および利便性が向上する。第２表示部２０での画像表示には撮像画像も含まれ、撮像画像を見る場合にも、携帯電話機１の向きを変えたり持ち替えたりする必要がなくなり、操作性および利便性が向上する。
【００３３】
カメラ部２１は撮像レンズとＣＣＤ（Ｃｈａｒｇｅ　Ｃｏｕｐｌｅｄ　Ｄｅｖｉｃｅ）イメージセンサあるいはＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）イメージセンサなどの撮像素子とＲＧＢの３色のカラーフィルタとを備える。カメラ部２１は被写体で反射されて撮像レンズに入射した光を、カラーフィルタを通してＲＧＢの３色光にし、ＲＧＢの３色光をそれぞれ前記撮像素子に変換する。図２に示すようにカメラ部２１は携帯電話機１が折り畳まれた時に外側にあって、ヒンジ４と第２表示部との間に位置するように設けられている。ユーザーは携帯電話機１を開いて撮影する時には、第２の筐体３を持って撮影する。
【００３４】
ライト部２２は、カメラ部２１で撮像する際の補助光源として使われる。一般的に、キセノン管を用いるものが多いが、最近ではＲＧＢのＬＥＤを同時発光させて、白色光を発光させて補助光源に用いるものもある。
【００３５】
第２のシャッターボタン２３は、第１の筐体２の背面中央に配置され、図３に示す携帯電話機１を折り畳んだ状態では第２表示部２０の下側に位置する。この位置に第２のシャッターボタン２３を配置することにより、ユーザーは折り畳んだ状態で簡単にシャッターボタン位置を確認し、容易に撮影することができる。
【００３６】
また、第２のシャッターボタン２３の両横には第２表示部２０を用いて各種設定／操作を行うための第２の操作ボタン群２４ａ，２４ｂが設けられている。第２の操作ボタン群は、第２表示部２０と連動して、各種機能設定，アドレス帳の表示／検索，メールの確認／表示／発信を操作することができる。また、撮影時のズーム操作や複数の撮像画像の順送り／逆送り等を操作することができる。
【００３７】
第２の筐体３の背面にはアンテナ部２５と上下可能なヘリカル部２６、図示しないが、バッテリーを格納するバッテリー部と着信音を鳴らす第２のスピーカーを備えている。
【００３８】
第１の筐体２はヒンジ４を通して第２の筐体３と機構的に接続されるが、ヒンジ４内には第１の筐体２と第２の筐体３を電気的に接続するための可撓性基板が組み込まれている。
【００３９】
図３に携帯電話機１の内部回路構成例を示す。
【００４０】
制御部４０は携帯電話機１を構成する各部位の動作を制御する制御手段、シャッターボタン制御手段、バックライト制御手段、ライト制御手段および表示制御手段である。画像処理部４１は、増幅部、Ａ／Ｄ（アナログ／デジタル）変換部、信号処理部からなる。増幅部は、カメラ部２１から送られてくるＲＧＢに対応した電気信号を増幅し、Ａ／Ｄ変換部に送る。Ａ／Ｄ変換部は増幅部で変換されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部４０から送られてくる制御信号に基づいて、信号処理を施した画像データを第１メモリ４２に送る。カメラ部２１および画像処理部４１は、入射光を電気信号に変換して画像データとして出力する撮像手段である。第１メモリ４２は、信号処理部から連続的に送られてくる画像データを一時的に記憶している。たとえば、時間的に古い画像データは消去する、あるいは最も新しい画像データを上書きすることで一時的に記憶する。
【００４１】
制御部４０は、第１および第２表示ドライバ部４３，４４に制御信号を送信するとともに、第１メモリ４２に記憶された画像データを、第１および第２表示ドライバ部４３，４４に送る。第１および第２ドライバ部４３，４４は、第１および第２表示部５，２０に表示しようとする画像データに従って、第１および第２表示部５，２０の各絵素電極に対して駆動電圧を印加する。
【００４２】
第１および第２バックライト４５，４６は発光素子である発光ダイオードなどから構成され、第１および第２表示部５，２０に光を当てて輝度を増加させる。第１および第２バックライト４５，４６の点灯、消灯の制御および輝度調整などの制御は、制御部４０によって行われる。第１の操作ボタン群４７は前述した第２の筐体３の入力ボタン群７と機能ボタン群８から構成される。第２の操作ボタン群は前述したように第１の筐体２に設置されている。
【００４３】
第１および第２のシャッターボタン１０，２３は、第１メモリ４２に連続的に送られ、一時的に記憶されている画像データの中からユーザーが保存を希望する画像データを、第３メモリ５２に保存する時に、ユーザーによって操作され、保存させる旨の指示信号を制御部４０に出力する。制御部４０は第１および第２のシャッターボタン１０，２３からの指示信号に応答して、第１メモリ４２に記憶されている画像データを第３メモリ５２に保存する。なお、第２メモリ４８は、第１メモリ４２同様に画像データを表示する際に使われるメモリである。
【００４４】
開閉検出部４９は携帯電話機１が折り畳まれているか否かを検出する検出手段である。ヒンジ４内部に図示しない検出スイッチが設けられており、開閉状態に応じて信号が制御部４０に送られ、制御部４０によって携帯電話機１が折り畳まれているかどうかを判断する。
【００４５】
アンテナ部２５は、無線電波を介して基地局と無線通信を行うときに、音声データ、文字データおよび画像データなどを送受信する。無線部５０は、受信時は、基地局からアンテナ部２５を介して受信したデータを復調し、送信時は、通信制御部５１から送られてくる文字データおよび画像データを所定のプロトコルに基づいて制御部４０に送る。無線部５０、通信制御部５１を介して受信した相手先からの受信データは、第３メモリ５２に記憶される。
【００４６】
制御部４０は、第１メモリ４２に一時的に保存されている画像データに基づく画像を表示する表示部を、開閉検出部４９の検出結果に基づいて切り換える。開閉検出部４９によって、携帯電話機１が折り畳まれていることが検出された場合、制御部４０は、第１メモリ４２からの画像データを第２表示ドライバ部４４に出力し、第２表示部２０に画像を表示させる。開閉検出部４９によって、携帯電話機１が折り畳まれていない（開いている）ことが検出された場合、制御部４０は、第１メモリ４２からの画像データを第１表示ドライバ部４３に出力し、第１表示部５に画像を表示させる。
【００４７】
カメラ部２１は、携帯電話機１が折り畳まれたときの外側に設けられているので、携帯電話機１の撮影者以外の被写体を撮像するときは、撮影者は、携帯電話機１を開いた状態でカメラ部２１をユーザーと反対側にある被写体側に向けて撮像する。この状態では、携帯電話機１が開いていること、すなわち折り畳まれていないことが開閉検出部４９によって検出され、カメラ部２１から出力された画像データに基づく画像が第１表示部５に表示される。これによって、ユーザーは第１表示部５を撮像時のファインダーとして使用することができる。
【００４８】
一方、撮影者自身を被写体として撮像するときは、撮影者は携帯電話機１を折り畳んだ状態でカメラ部２１をユーザー側に向けて撮像する。この状態では、携帯電話機１が折り畳まれていることが開閉検出部４９によって検出され、カメラ部２１から出力された画像データに基づく画像が第２表示部２０に表示される。これによって、撮影者は第２表示部２０を撮影時のファインダーとして使用することができる。なお、本発明の実施の一形態である携帯電話機１では、携帯電話機１を開いた状態でも利用者自身を撮影可能である。
【００４９】
図４は第１表示部５の具体的な構成例を示すもので、２Ｄと３Ｄイメージを電気的に切替えて表示できるよう構成されている。ここで、視差光学系の形成を選択的に行うために、視差バリア１０３´として、２Ｄ／３Ｄ切換え用の液晶デバイス（ＬＣＤ）１５０とパターン化位相差板１５１を使用している。視差バリア１０３´は、画像表示用の液晶表示デバイス１０１の背面、すなわちバックライト１０２（図３の第１バックライト４５に相当）側に配置される。切替え用液晶デバイス１５０はここでは全面を３Ｄ、２Ｄに切替えるためベタ電極としている。パターン化位相差板１５１は液晶デバイスの２枚の偏光板のうち一方の偏光板に置き換えたものである。
【００５０】
３Ｄイメージを表示するときは、切替え用液晶デバイス１５０に電圧を加えない。これにより内部の液晶分子は回転した状態を維持し、パターン化位相差板１５１に対する光の偏光特性により、パターン化位相差板１５１のパターンに従い図９の視差バリア１０３のスリット１０４と実質同様のスリットを形成する。２Ｄイメージを表示するときは切替え用液晶デバイス１５０に電圧を加える。すなわち切替え用液晶デバイス１５０に電圧を印加することにより液晶分子の回転が解除され、パターン化位相差板１５１はパターンの有無に関わりなくパターン位相差板に対する入力光の影響を受けないようになり、スリットの形成を解消する。
【００５１】
第１表示部５に接続される第１表示ドライバ部４３は、図１１で説明したメモリ１２２，１２３及びビデオコントローラ１２６を含んでなるものである。３Ｄのイメージから２Ｄイメージあるいは２Ｄイメージから３Ｄイメージに切替えて表示するときは、視差光学系の一構成要素である切換え用液晶デバイス１５０の動作を切替え、視差光学系の形成を選択すると共に、表示用メモリ１２７に入力するデータの構造を変化させる。前述したように、３Ｄイメージの表示時は、左目及び右目の各表示データをビデオコントローラに１２６に入力し、ビデオコントローラ１２６において並び替えることによって３Ｄ形態で表示する。２Ｄイメージの表示時おいては、左目と右目の並び替えること等の必要がないので、通常の２Ｄ表示データをビデオコントローラの表示用メモリ１２７に直接入力するようにすればよい。
【００５２】
図５（ａ）及び（ｂ）は第１表示部５の画像表示用液晶デバイス１０１の要部詳細例を説明する平面図及び（ａ）のＡ−Ａ線断面図である。第１表示部５は、後方から光をデバイスに透過して表示する、透過を重視した液晶デバイスであることが適当である。
【００５３】
図に示すように、透明な絶縁性の基板１０上に、金属膜をパターニングして形成した走査配線１を配置する。実施形態１では、絶縁性の基板１０にガラス基板を、走査配線用金属膜にＴａを用いた。ただし、絶縁性の基板には、透明性を有するものであれば、他の材料でもかまわない。また、金属膜についても、遮光性を有するものであれば、特に材料は問わない。走査配線１および走査配線１から分岐したゲート電極８の上に、ＳｉＮｘ膜からなるゲート絶縁膜９が形成されている。ＴＦＴ５では、ゲート絶縁膜９上には半導体層２１が形成されている。このＴＦＴ５の半導体層２１の形成と同時に、信号配線２下の遮光パターン６ａの領域にも、半導体層２１を形成する。半導体層２１としてアモルファスシリコン半導体を用いた。ＴＦＴ５の半導体層２１の上層には、コンタクト層２２が形成されている。このＴＦＴ５のコンタクト層２２の形成と同時に、信号配線下の遮光パターン６ａの領域の半導体層２１の上にもコンタクト層２２を形成する。コンタクト層２２としてマイクロクリスタルのｎ＋−Ｓｉを用いた。遮光パターン６ａの半導体層２１、コンタクト層２２の形成は、従来のマスクに対して、遮光パターン６ａの部分だけ追加するだけで良く、コストダウンに寄与できる。その上層には、透明導電膜を用いて、信号配線２、ソース電極２３、ドレイン電極２４、絵素電極４が形成されている。ＴＦＴ５の上層には保護膜２６を形成しても構わない。このようにしてアクティブマトリクス基板ができる。
【００５４】
この場合、信号配線２のＴＦＴ５の近傍に、遮光パターン６ａとして半導体層２１とコンタクト層２２の両方を用いて形成したが、半導体層２１、コンタクト層２２のどちらか一方でも良い。半導体層２１、コンタクト層２２は金属膜に比べて遮光効果は小さいが、光を遮光することができる。この遮光パターン６ａにより、バックライト光の反射光がＴＦＴ５に入射する際の光量を低減することができ、ＯＦＦ特性の改善が期待できる。
【００５５】
また、透明性を有する絶縁性の基板１１上にカラーフィルター２５を設ける。このカラーフィルター２５は、絵素電極４間とＴＦＴ５に対応する領域には、遮光膜となるブラックマトリクス１２が設けられ、絵素電極４に対応する領域には、例えば赤、緑、青のカラーフィルター１３を設けている。カラーフィルター２５の上に、ＩＴＯ膜からなる透明導電膜を用いて対向電極３１が形成されている。このようにして対向基板ができる。この対向基板とアクティブマトリクス基板を貼り合わせ、その間に液晶１４を封入させることにより、液晶表示装置ができる。一般的に液晶表示装置の光源として、アクティブマトリクス基板側に、バックライトが設けられている。
【００５６】
すなわち上述において、絵素電極４は透明導電膜により形成されており、かつ実質的に絵素電極４の全体が透過領域で、後面からの光を全面的に前方に透過でき、また、前面からの光に対して反射がほとんどないようにしている。このような透過型（又は微反射型とも言われる）液晶デバイスは、バックライトを点灯して使用することを前提に構成され、バックライトからの光により表示が鮮明でコントラストも高い非常に見易い表示体となる。第１表示部５は第１の筐体２を開いたときに使用される表示体であり、開いたときのみバックライト１０２を点灯したとしても、携帯電話機全体としての電源消費に大きな負担かけないようにできる。従って、第１表示部５に２Ｄイメージ又は３Ｄイメージのいずれを表示する場合でも、第１表示部５の表示体としては上述したバックライトの点灯でより見易く表示できる透過型液晶デバイスが好適である。もちろん、消費電力低減のため点灯後タイマーにより所定時間後消灯するようにしても何ら差し支えない。
【００５７】
また、第１表示部５は、３Ｄイメージの表示のために、２Ｄ／３Ｄ切換え用の液晶デバイス（ＬＣＤ）１５０とパターン化位相差板１５１とからなる視差バリア３´形成している。３Ｄイメージの表示状態において、この示唆バリア３´及び画像表示用液晶デバイス１０１を介して、使用者の左目及び右目にそれぞれの絵素が明るく明確に観測されるためには、視差バリア１０３´の後方に位置したバックライト１０２からの光を有効に利用することが不可欠となる。この点で、３Ｄイメージを表示する画像表示用デバイス１０１は、表示時に必ずバックライトが点灯され得る状態をもっている第１の表示部５に存在していることが有利であり、かつ前述のように透過型液晶デバイスの使用状況と一致して大変好適である。さらに、３Ｄイメージを表示するとき反射光はノイズとなって観測されるが、透過型液晶デバイスは、反射光がない、もしくは非常に少なくできるものであり、ノイズ低減にも好都合となる。
【００５８】
以上では、第１表示部５の好適な構成例として、透過型（または微反射型）液晶デバイスを用いたものを説明したが、基本的には後方からの光を利用して表示されるものであればよく、後述するような前方からの光の一部を反射する半反射型であっても、使用上ノイズの等の影響が許容できる範囲で、透過を重視した半反射型液晶デバイスを用いても実現可能である。
【００５９】
図６、図７は第２表示部２０の具体的構成例を説明する要部断面図である。第２表示部２０に用いられる液晶表示デバイス２０１は半反射型（又は半透過型とも言われる）液晶デバイスである。
【００６０】
図６は絵素電極に窓空けなどによって反射領域と透過領域を形成したものである。同図（ａ）はアクティブマトリックス基板の絵素部分の平面図を、（ｂ）は（ａ）のａ−ｂ線断面図を示す。
【００６１】
アクティブマトリクス基板には、絵素電極１がマトリクス状に設けられており、絵素電極１の周囲を通り互いに直交差するように、走査信号を供給するためのゲート配線２と、表示信号を供給するためのソース配線３が設けられている。ゲート配線２とソース配線３は、その一部が絵素電極１の外周部分と層間絶縁膜１９を介して重なっている。ゲート配線２及びソース配線３は金属膜で形成されている。また、ゲート配線２とソース配線３の交差部付近に、絵素電極１に表示信号を供給するためのスイッチング素子としての薄膜トランジスタ４（以下ＴＦＴという）が設けられている。
【００６２】
このＴＦＴ４のゲート電極１２にはゲート配線２が接続され、ゲート電極１２に入力される信号によってＴＦＴ４が駆動制御される。またＴＦＴ４のソース電極１５にはソース配線３が接続され、ソース電極１５にデータ信号が入力される。更にＴＦＴ４のドレイン電極１６には接続電極５が接続され、更にコンタクトホール６を介して絵素電極１と電気的に接続される。接続電極５は、ゲート絶縁膜７を介して、補助容量電極８との間に補助容量を形成している。補助容量電極８は、金属膜で形成され、図示しない配線によって対向基板９に形成された対向電極１０に接続されている。また、補助容量電極８はゲート配線２と同一工程で形成されてもよい。
【００６３】
絵素電極１は、金属膜からなる反射領域２２と、ＩＴＯからなる透過領域２０からなり、反射領域２２は、ゲート配線２、ソース配線３、ＴＦＴ４及び補助容量電極８の上に形成され、透過領域２０は反射領域２２に囲まれるように形成されている。
【００６４】
図７は他の例を示すものであり、絵素電極として、光の一部を透過し、また光の一部を反射する半透過反射膜を用いることにより、透過型表示と反射型表示の両方の表示を１つの液晶パネルで実現したものである。液晶表示デバイス２０１は、偏光板３０、位相差板３１、透明基板３２、ブラックマスク３３、対向電極３４、配向膜３５、液晶層３６、ＭＩＭ３７、絵素電極３８、光源３９、反射膜４０から構成されている。半透過反射膜である絵素電極３８は、金属粒子を薄く堆積させて形成しており、光源３９からの光を絵素電極３８から透過させると共に、自然光や室内照明光等の外光を絵素電極３８で反射させることによって透過型表示機能と反射型表示機能とを実現することができる。なお、スイッチング素子のＭＩＭ３７は図６の例のようにＴＦＴにより構成するようにしてもよい。
【００６５】
また、上記に限らずスイッチング素子を内蔵しない、絵素電極をマトリックス状に配置して構成されるＳＴＮ型の液晶デバイスであってもよい。この場合、上記と同様に、絵素電極を窓空けなどによって反射領域と透過領域を形成すること、あるいは絵素電極の材質として半透過反射膜となるものを使用することにより半透過型液晶デバイスとして構成できる。
【００６６】
このように、半反射型液晶デバイスは透過型表示と反射型表示の両方の表示を１つの液晶パネルで実現したものであり、バックライトからの光の透過による表示と、外部からの光の反射による表示とを可能にしている。第２表示部２０は第１の筐体２を閉じて使われるときにその表示を見ることが多く、特に明るい場所ではバックライトがなくても表示を見ることが可能である。そして透過型としての表示も可能であるので、周囲が暗いときあるいは暗い場所等では第２表示部２０に対応するバックライト４６（図３参照）を点灯して表示すればよい。
【００６７】
このように、周囲が暗いときあるいは暗い場所等での使用を可能にする意味では半透過型が最も適切であるが、外部からの光の反射のみによる使用で満足される場合は、表示に全く透過光を利用しない反射型液晶デバイスにより第２表示部２０を構成してもよい。いずれにしても、表示のためにバックライトの光が必ず必要となる３Ｄイメージの表示には、第２の表示部２０は余り適切ではない。
【００６８】
カメラ部２１より写した画像を第１表示部５をファインダーとして使用しながら撮るときは、第１表示部５は２Ｄイメージの表示モードとされる。すなわち、本実施形態の携帯電話がキー操作等により撮像モードに設定されるときは、第１表示部５は２Ｄイメージの表示モードに設定される。カメラ部２１で撮像される画像は、通常３Ｄイメージ用に特別に変換するまでは左目及び右目のイメージに区別されることはなく、２Ｄのイメージで生成されるものである。したがって、第１表示部５において、２Ｄ／３Ｄ切替え用液晶デバイス１５０が２Ｄイメージ用に切替えられるとともに、カメラ部２１より撮像された画像データが第１メモリ４２から第１表示ドライバ部４３の内のビデオコントローラ１２６の表示メモリ１２７に直接に入力される。これらによってカメラ部２１で撮像される画像は、２Ｄ表示でファインダーとしてシャッターを操作するまではリアルタイムに表示される。
【００６９】
第１表示部５における３Ｄイメージの表示は、前述のように、例えばＷｅｂより３Ｄイメージデータのコンテンツとして受信したアニメや風景写真、その他、２Ｄより３Ｄイメージでの表示が適切であるもの、あるいは、３Ｄのほうがより楽しめるものなどが多種多様である。さらに、携帯電話機１に３Ｄ変換機能を内蔵するものであれば、携帯電話自身に備え付けのカメラ部で撮った映像を左目及び右目にそれぞれ分割された３Ｄイメージデータに変換して表示するようにしてもよい。あるいは、同様機能を有する他の携帯電話より３Ｄイメージデータが送信されこれを受信して表示する場合も利用し得る。また、これらの画像を３Ｄイメージの待ち受け画面として利用することも可能である。
【００７０】
なお、第１の表示部５は、２Ｄ表示がより好ましくデータに付与された２Ｄ・３Ｄ識別情報に従って、あるいは使用者の任意のキー操作等により、表示体を２Ｄモードに切り替え２Ｄイメージにより表示することができる。例えば、従前の携帯電話機で実施されているように、着信又は発信時の電話番号表示・氏名表示や、メールの受信内容あるいは発信内容など、通常のテキスト情報を含む表示の場合は２Ｄイメージで表示するのに適当である。あるいは、表示を見るときの環境によっては左目及び右目の示唆のない表示の方が見易い場合があるので、使用者のキー操作などにより、３Ｄイメージの表示から、３Ｄ表示画像データの左目又は右目も一方を利用して同内容で、あるいは別のカテゴリーの２Ｄイメージによる表示に切り替えてもよい。
【００７１】
第２の表示部５は、２Ｄイメージでの待受け画面、同２Ｄイメージによる着信又は発信時の電話番号表示・氏名表示や、メールの受信内容あるいは発信内容などに利用可能である。
【００７２】
以上の実施の形態では、第１の表示部５において２Ｄイメージと３Ｄイメージを切り替えて表示するものを説明したが、少なくとも第１表示部５において３Ｄイメージが表示されるものであればよい。また、前記実施の形態では視差バリアの形成の有無を選択して２Ｄイメージを表示するようにしたが、視差バリアを形成したままで左右のデータを同じくすることにより２Ｄイメージを表示するようにしてもよい。
【００７３】
さらに、以上の実施の形態では、携帯電話機１が折り畳まれた状態において内面に位置する第１表示部５に、３Ｄイメージ（あるいは切り替えて３Ｄイメージ又は２Ｄイメージ）を表示し、折り畳まれた状態において外面に位置する第２表示部２０に２Ｄイメージを表示するものについて説明したが、第１の筐体２を開いて後、さらに第１の筐体２を回転し第１表示部５を表示面を上にして第２の筐体３に重ね合せるような使用状態を有するものにあっても、第１表示部５が主たる表示部として使用され得て、第１表示部５を３Ｄイメージあるいは３Ｄイメージ又２Ｄイメージを切り替えて表示する表示部とすることにより同様の効果を得ることができる。
【００７４】
また、複数の表示部を有してなる携帯電話機において、本発明は、上述のように、少なくとも、２Ｄイメージ又は３Ｄイメージが切り替えて表示される表示部と、２Ｄイメージが表示される表示部とを含むである。すなわち、本発明によれば、少なくとも別表示態様の表示体をそれぞれ備えることにより、表示部を配置する位置にかかわらず、携帯電話機全体のコスト低減に寄与できると共に、特に表示が使用目的別等によって主表示部（メイン表示部）及び副表示部（サブ表示部）に区別されている場合に、使用目的等に合致した３Ｄイメージの表示が可能な高機能の携帯電話機を提供できる。
【００７５】
なお、本発明の実施の一形態として携帯電話機１について説明したが、これに限らず、ノート型ＰＣ（パーソナルコンピュータ）、ＰＤＡ（Ｐｅｒｓｏｎａｌ　ＤｉｇｉｔａｌＡｓｓｉｓｔａｎｃｅ）などであって、折り畳み可能に構成され、撮像部と画像保存手段を備える構成であれば、本発明は適用可能である。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７７】
【発明の効果】
以上、本発明の携帯機器は、第１の筐体と第２の筐体が連結部によって折り畳み可能に構成され、前記携帯機器が折り畳まれた状態において、内面に位置する、３Ｄイメージが表示される、あるいは２Ｄ又は３Ｄイメージが選択的に切替えて表示される第１表示部と、前記携帯機器が折り畳まれた状態において外面に位置する２Ｄイメージが表示される第２表示部とを備えたものであり、折畳み式の利点を生かして３Ｄイメージの表示が行える有用な携帯機器が提供できる。
【００７８】
また、本発明の携帯機器はコストを低減して３Ｄイメージが表示できる高機能の携帯機器を提供できる。
【図面の簡単な説明】
【図１】本実施の形態に係る携帯機器の外観斜視図である。
【図２】本実施の形態に係る携帯機器の折り畳んだ状態での外観斜視図である。
【図３】本実施の形態に係る携帯機器の構成を示すブロック図である。
【図４】第１の表示部の構成例を示す断面図である。
【図５】同要部構成例を示す平面図及び断面図である。
【図６】第２の表示部の構成例を示す平面す及び断面図である。
【図７】第２の表示部の他の構成例を示す断面図である。
【図８】液晶のピクセルレイアウトを示す図である。
【図９】３Ｄ表示デバイスの構成例を示す断面図である。
【図１０】３Ｄ表示のための並び替えを説明するピクセルレイアウトのずである。
【図１１】ディスプレイコントローラの構成例を示すブロック図である。
【図１２】ディスプレイコントローラの一部詳細を示すブロック図である
【符号の説明】
５　第１表示部
２０　第２表示部
１０１　液晶表示デバイス
１０２　バックライト
１５０　切替え用液晶デバイス
１５１　パターン化位相差板
【図１】
2004129029.tif 000003
【図２】
2004129029.tif 000004
【図３】
2004129029.tif 000005
【図４】
2004129029.tif 000006
【図５】
2004129029.tif 000007
【図６】
2004129029.tif 000008
【図７】
2004129029.tif 000009
【図８】
2004129029.tif 000010
【図９】
2004129029.tif 000011
【図１０】
2004129029.tif 000012
【図１１】
2004129029.tif 000013
【図１２】
2004129029.tif 000014
【手続補正書】
【提出日】平成14年10月31日(2002.10.31)
【手続補正１】
【補正対象書類名】明細書
【補正対象項目名】特許請求の範囲
【補正方法】変更
【補正の内容】
【特許請求の範囲】
【請求項１】
第１の筐体と第２の筐体が連結部によって折り畳み可能に構成される携帯機器であって、
前記携帯機器が折り畳まれた状態において、内面に位置する、３Ｄイメージが表示される第１表示部と、
前記携帯機器が折り畳まれた状態において、外面に位置する、２Ｄイメージが表示される第２表示部と、
を備えてなることを特徴とする携帯機器。
【請求項２】
第１の筐体と第２の筐体が連結部によって折り畳み可能に構成される携帯機器であって、
前記携帯機器が折り畳まれた状態において、内面に位置する、視差光学系の形成を選択することにより２Ｄ又は３Ｄイメージが切替えて表示される第１表示部と、
前記携帯機器が折り畳まれた状態において、外面に位置する、２Ｄイメージが表示される第２表示部と、
を備えてなることを特徴とする携帯機器。
【請求項３】
前記第１表示部は、透過型の画像表示用液晶表示デバイスを含んでなることを特徴とする請求項１又は２に記載の携帯機器。
【請求項４】
前記第１表示部は、視差光学系を選択的に形成する２Ｄ／３Ｄ切替え用の液晶表示デバイス、及び透過型の画像表示用液晶表示デバイスとからなることを特徴とする請求項１又は２に記載の携帯機器。
【請求項５】
前記第２表示部は半反射型の画像表示用液晶デバイスからなることを特徴とする請求項１ないし４いずれかに記載の携帯機器。
【請求項６】
第１の筐体と第２の筐体が連結部によって折畳み可能に構成される携帯機器であって、少なくとも、
２Ｄイメージ又は３Ｄイメージが切り替えて表示される表示部と、
２Ｄイメージが表示される表示部と、
を含む複数の表示部を有してなることを特徴とする携帯機器。
【請求項７】
第１の筐体と第２の筐体が連結部によって折り畳み可能に構成される携帯機器であって、
前記携帯機器が折り畳まれた状態において、前記第１の筺体内面に位置する、少なくとも３Ｄイメージが表示される第１表示部と、
前記携帯機器が折り畳まれた状態において、前記第１の筺体外面に位置する、２Ｄイメージが表示される第２表示部と、
を備え、前記第２表示部は前記連結部を上にして表示されることを特徴とする携帯機器。
【手続補正２】
【補正対象書類名】明細書
【補正対象項目名】００２６
【補正方法】変更
【補正の内容】
【００２６】
第６の発明は、第１の筐体と第２の筐体が連結部によって折畳み可能に構成される携帯機器であって、少なくとも、３Ｄイメージ又は２Ｄイメージが切り替えて表示される表示部と、２Ｄイメージが表示される表示部と、を含む複数の表示部を有してなることを特徴とする携帯機器である。
第７の発明は、第１の筐体と第２の筐体が連結部によって折り畳み可能に構成される携帯機器であって、前記携帯機器が折り畳まれた状態において、前記第１の筺体内面に位置する、３Ｄイメージが表示される又は３Ｄと２Ｄが切替えて表示される第１表示部と、前記携帯機器が折り畳まれた状態において、前記第１の筺体外面に位置する、２Ｄイメージが表示される第２表示部と、を備え、前記第２表示部は前記連結部を上にして表示されることを特徴とする携帯機器である。
【手続補正３】
【補正対象書類名】明細書
【補正対象項目名】００７１
【補正方法】変更
【補正の内容】
【００７１】
第２の表示部５は、２Ｄイメージでの待受け画面、同２Ｄイメージによる着信又は発信時の電話番号表示・氏名表示や、メールの受信内容あるいは発信内容などに利用可能である。
なお、本実施の形態のように、第１の筺体２の内外面に第１表示部５及び第２表示部２０を設け、第２表示部２０をヒンジ４方向が上になるように画像表示を行うことにより、ユーザーは携帯電話機１を折り畳んだ状態で使用する際に、ヒンジを上に向けて使用することになり、ユーザーが携帯電話機１を開いた状態でも閉じた状態でも第２の筐体３の向きが変わらない。言い換えれば、携帯電話機１を開いたり閉じたりするたびに、携帯電話機１の向きを変えたり持ち替えたりする必要がなくなり、操作性および利便性を向上できる利点がある。